(57)【要約】      （修正有）【課題】所望の反射特性を好適に得られる設計の自由度を相対的に高める。【解決手段】液晶装置１は、第１基板１０と、第１基板に対向する第２基板２０と、第１基板と、第１基板と第２基板との間に挟持される液晶層５０と、第１基板の液晶層側に設けられ第２基板側から液晶層に入射する光を第２基板側に反射する反射層８０と、第２基板上の液晶層とは反対側に設けられる光拡散性を有する光拡散層２００とを備え、前記反射層上には第２基板側から液晶層に入射する光を乱反射する凹凸部８１が形成される。【選択図】図４
2011002564.tif 000002
【特許請求の範囲】
【請求項１】
第１基板と、
前記第１基板に対向する第２基板と、
前記第１基板と前記第２基板との間に挟持される液晶層と、
前記第１基板の前記液晶層側に設けられると共に、前記第２基板側から前記液晶層に入射する光を前記第２基板側に反射する反射層と、
前記第２基板の前記液晶層とは反対側に設けられると共に、前記反射層において反射された光を拡散する光拡散層と
を備え、
前記反射層上には、前記第２基板側から前記液晶層に入射する光を乱反射する凹凸部が形成されていることを特徴とする液晶装置。
【請求項２】
前記凹凸部は、前記反射層の全面に渡って形成されていることを特徴とする請求項１に記載の液晶装置。
【請求項３】
前記凹凸部は、前記反射層の一部に形成されていることを特徴とする請求項１に記載の液晶装置。
【請求項４】
前記凹凸部は、前記反射層上において離散するように又は分散するように複数形成されていることを特徴とする請求項３に記載の液晶装置。
【請求項５】
請求項１から４のいずれか一項に記載の液晶装置を備えることを特徴とする電子機器。
【発明の詳細な説明】
【技術分野】
【０００１】
本発明は、例えば反射型の液晶装置及びこのような液晶装置を備える電子機器の技術分野に関する。
【背景技術】
【０００２】
液晶装置では、例えば表示パネルである液晶パネルを構成する一対の基板間において液晶を所定の配向状態としておき、例えば画像表示領域に形成された画素部毎に、液晶に所定の電圧を印加することにより、液晶における配向や秩序を変化させて、光を変調することにより階調表示を行う。
【０００３】
このような液晶装置として、反射型の液晶装置があげられる（例えば、特許文献１参照）。反射型の液晶装置では、外光が前面側の透明基板を通して液晶層に入射し、裏面側の透明基板に形成された反射板にて反射された後、再び液晶層及び前面側の透明基板を通過して視認される。特に、特許文献１では、広い視野角で明るい液晶装置であって且つ表示のにじみ（ボケ）や混色などをなくした液晶装置を実現するために、前面の透明基板上に、光拡散性の異なる２つの散乱層を設ける構成が開示されている。
【先行技術文献】
【特許文献】
【０００４】
【特許文献１】特開平１１−２４９１２９号公報
【発明の概要】
【発明が解決しようとする課題】
【０００５】
しかしながら、特許文献１に開示された散乱層では、光の拡散量や拡散方向を所望の状態に設定することが困難であるという技術的問題点を有している。つまり、単に散乱層を設けるだけでは、散乱層の特性等の制約によって、光の拡散量や拡散方向を所望の状態に設定することが困難であるという技術的問題点を有している。その結果、液晶装置の設計の自由度が狭くなってしまいかねない。
【０００６】
本発明は、例えば上述した従来の問題点に鑑みなされたものであり、例えば設計の自由度を相対的に高めることが可能な液晶装置及び電子機器を提供することを課題とする。
【課題を解決するための手段】
【０００７】
（液晶装置）
上記課題を解決するために、本発明の液晶装置は、第１基板と、前記第１基板に対向する第２基板と、前記第１基板と前記第２基板との間に挟持される液晶層と、前記第１基板の前記液晶層側に設けられると共に、前記第２基板側から前記液晶層に入射する光を前記第２基板側に反射する反射層と、前記第２基板上の前記液晶層とは反対側に設けられる光拡散性を有する光拡散層とを備え、前記反射層上には、前記第２基板側から前記液晶層に入射する光を乱反射する凹凸部が形成されている。
【０００８】
本発明の液晶装置によれば、一対の基板（つまり、第１基板及び第２基板）間に挟持されている液晶分子の配向状態を、第１基板上に形成される電極（例えば、後述の画素電極）及び第２基板上に形成される電極（例えば、後述の共通電極）の夫々の電位差によって生ずる電界によって変化させることができる。特に、本発明の液晶装置では、第１基板上に反射層が設けられている。この反射層は、第１基板の液晶層側に設けられることが好ましいが、第１基板の液晶層とは反対側に設けられてもよい。このため、本発明の液晶装置は、いわゆる反射型の（或いは、半透過反射型の）液晶装置として動作する。従って、本発明の液晶装置によれば、第２基板側から液晶装置内部（つまり、液晶層）に入射する光が反射層によって第２基板側に向かって反射されることで、ユーザは液晶装置に表示される画像を視認する。
【０００９】
本発明では特に、第２基板上に光拡散層が設けられている。光拡散層は、光拡散性を有する層である。このような光拡散層は、例えば、一の角度から入射する光を拡散し且つ前記一の角度とは異なる他の角度から入射する光を透過する光拡散性を有していてもよい。或いは、このような光拡散層は、入射してくる光を所望の態様で又は任意の態様で拡散させる光拡散性を有していてもよい。尚、光拡散層は、第２基板の液晶層とは反対側に設けられることが好ましいが、第２基板の液晶層側に設けられてもよい。
【００１０】
更に、本発明では、上述した光拡散層が第２基板上に設けられることに加えて、反射層が、入射する光を乱反射する（言い換えれば、拡散しながら反射する）凹凸部を備えている。ここに、本発明における「凹凸部」とは、入射してくる光を乱反射することができる程度の凹凸（つまり、突起及びくぼみ）が形成されている箇所を示す広い趣旨であって、凹凸のサイズはどのようなものであってもよい。
【００１１】
ここで、光拡散層が設けられる一方で反射層が凹凸部を備えない液晶装置では、光拡散層によって得られる光拡散性が所望の反射特性に対して不足している又は過剰である場合には、所望の反射特性を得るために、光拡散層そのものの特性（或いは、光拡散層に用いられる光学材料そのもの等）を変更する必要がある。しかしながら、光拡散層の特性選択性（或いは、材料選択性）の制約の観点から見れば、必ずしも所望の反射特性を得られる光拡散層が存在するとは限らない。このため、必ずしも所望の反射特性を得られる液晶装置を実現できるとは限らない。
【００１２】
同様に、反射層が凹凸部を備える一方で光拡散層が設けられない液晶装置では、反射層が備える凹凸部によって得られる光拡散性（つまり、乱反射特性）が所望の反射特性に対して不足している又は過剰である場合には、所望の反射特性を得るために、凹凸部の特性（例えば、凹凸部の形状やサイズ等）を変更する必要がある。しかしながら、反射層が備える凹凸部の設計の制約の観点から見れば、必ずしも所望の反射特性を得られる凹凸部が得られるとは限らない。このため、必ずしも所望の反射特性を得られる液晶装置を実現できるとは限らない。
【００１３】
しかるに、本発明の液晶装置によれば、光拡散層によって得られる光拡散性が所望の反射特性に対して不足している又は過剰である場合には、光拡散層そのものの特性（或いは、光拡散層に用いられる光学材料そのもの等）を変更することに加えて又は代えて、凹凸部の特性（例えば、凹凸部の形状やサイズ等）を変更することができる。つまり、光拡散層によって得られる光拡散性が所望の反射特性に対して不足している又は過剰である場合には、不足している又は過剰となっている反射特性を反射層が備える凹凸部によって補うことができる。同様に、反射層が備える凹凸部によって得られる光拡散性（つまり、乱反射特性）が所望の反射特性に対して不足している又は過剰である場合には、凹凸部の特性（例えば、凹凸部の形状やサイズ等）を変更することに加えて又は代えて、光拡散層そのものの特性（或いは、光拡散層に用いられる光学材料そのもの等）を変更することができる。つまり、反射層が備える凹凸部によって得られる光拡散性が所望の反射特性に対して不足している又は過剰である場合には、不足している又は過剰となっている反射特性を光拡散層によって補うことができる。
【００１４】
このため、本発明の液晶装置によれば、液晶装置全体としての設計の自由度を相対的に高めることができると共に、所望の反射特性を好適に得ることができるという実践上大変有利な効果を享受することができる。
【００１５】
本発明の液晶装置の一の態様では、前記凹凸部は、前記反射層の全面に渡って形成されている。
【００１６】
この態様によれば、光拡散層によって得られる光拡散性が所望の反射特性に対して不足している又は過剰である場合に、不足している又は過剰となっている反射特性を凹凸部によって補うことができると共に、凹凸部によって得られる光拡散性が所望の反射特性に対して不足している又は過剰である場合には、不足している又は過剰となっている反射特性を光拡散層によって補うことができる。このため、液晶装置全体としての設計の自由度を相対的に高めることができると共に、所望の反射特性を好適に得ることができるという実践上大変有利な効果を享受することができる。
【００１７】
本発明の液晶装置の他の態様では、前記凹凸部は、前記反射層の一部に形成されている。
【００１８】
この態様によれば、光拡散層によって得られる光拡散性が所望の反射特性に対して不足している又は過剰である場合に、不足している又は過剰となっている反射特性を凹凸部によって補うことができると共に、凹凸部によって得られる光拡散性が所望の反射特性に対して不足している又は過剰である場合には、不足している又は過剰となっている反射特性を光拡散層によって補うことができる。このため、液晶装置全体としての設計の自由度を相対的に高めることができると共に、所望の反射特性を好適に得ることができるという実践上大変有利な効果を享受することができる。
【００１９】
特に、凹凸部が反射層上の一部に形成されているため、凹凸部が形成される位置や凹凸部の分布の態様によっても、反射特性を変更することができる。このため、液晶装置全体としての設計の自由度をより一層高めることができると共に、所望の反射特性を好適に得ることができるという実践上大変有利な効果を享受することができる。
【００２０】
本発明の液晶装置の他の態様では、前記凹凸部は、前記反射層上において離散するように又は分散するように複数形成されている。
【００２１】
特に、凹凸部が反射層上に複数形成されているため、凹凸部が形成される位置や凹凸部の分布の態様や凹凸部の数によっても、反射特性を変更することができる。このため、液晶装置全体としての設計の自由度をより一層高めることができると共に、所望の反射特性を好適に得ることができるという実践上大変有利な効果を享受することができる。
【００２２】
（電子機器）
上記課題を解決するために、本発明の電子機器は、上述した本発明の液晶装置（但し、その各種態様を含む）を備える。
【００２３】
本発明の電子機器によれば、上述した本発明の液晶装置（或いは、その各種態様）備えているため、上述した本発明の液晶装置が享受する各種効果と同様の効果を享受することができる。つまり、上述した本発明の液晶装置が享受する各種効果と同様の効果を享受することができる投射型表示装置（例えば、プロジェクタやヘッドアップディスプレイ等）や直視型表示装置（例えば、テレビ、携帯電話、電子手帳、携帯オーディオプレーヤ、ワードプロセッサ、デジタルカメラ、ビューファインダ型又はモニタ直視型のビデオレコーダ、ワークステーション、テレビ電話、ＰＯＳ端末、タッチパネル等）などの各種電子機器を実現することができる。
【００２４】
本発明の作用及び他の利得は次に説明する実施の形態から更に明らかにされよう。
【図面の簡単な説明】
【００２５】
【図１】本実施形態に係る液晶装置が備える液晶パネルを対向基板側から見た平面図である。
【図２】図１のＩＩ−ＩＩ’断面図である。
【図３】本実施形態に係る液晶パネルの画像表示領域における回路構成を示した回路図である。
【図４】本実施形態に係る液晶装置の全体構成を示す断面図である。
【図５】変形例に係る液晶装置の全体構成を示す断面図である。
【図６】液晶装置が適用されたモバイル型のパーソナルコンピュータの斜視図である。
【図７】液晶装置が適用された携帯電話の斜視図である。
【発明を実施するための形態】
【００２６】
以下、図面を参照しながら、本発明に係る液晶装置の実施形態を説明する。
【００２７】
（１）液晶パネル
はじめに、図１から図３を参照しながら、本実施形態に係る液晶装置が備える液晶パネルの構成を説明する。図１は、本実施形態に係る液晶パネルを対向基板側から見た平面図であり、図２は、図１のＩＩ−ＩＩ’断面図であり、図３は、本実施形態に係る液晶パネルの画像表示領域１０ａにおける回路構成を示した回路図である。
【００２８】
図１及び図２において、液晶装置１が備える液晶パネル１００は、本発明における「第１基板」の一具体例を構成するＴＦＴアレイ基板１０、本発明における「第２基板」の一具体例を構成する対向基板２０、シール部５２、及び複数の端子１０２を備えている。
【００２９】
液晶パネル１００では、平面形状が各々矩形状であり、且つ相互に重なるＴＦＴアレイ基板１０及び対向基板２０が互いに向い合うように対向配置されている。ＴＦＴアレイ基板１０と対向基板２０との間に、液晶からなる液晶層５０が封入されている。ＴＦＴアレイ基板１０及び対向基板２０は、画像表示領域１０ａの周囲に位置する領域の一部であるシール領域に設けられたシール部５２により相互に接着されている。液晶層５０は、液晶パネル１００の駆動時において、画像信号に応じて画像のコントラスト及び液晶パネル１００の透過率が可変となるように構成されている。
【００３０】
ＴＦＴアレイ基板１０は、画素スイッチング用ＴＦＴ等の各種素子、及び配線がガラス基板等の透明な基板本体に形成されてなる。ＴＦＴアレイ基板１０及び対向基板２０の夫々は、シール部５２によって一対の大型基板を相互に貼り合せた後、一対の大型基板からなる貼り合せ基板を、形成すべき液晶パネル１００のサイズに対応する基板部分毎に分離することによって形成されている。ＴＦＴアレイ基板１０及び対向基板２０の夫々における液晶層５０に臨む面には配向膜が形成されており、画像信号に応じて各画素部における液晶の配向状態が制御される。
【００３１】
シール部５２は、平面的に見て、ＴＦＴアレイ基板１０上の画像表示領域１０ａを囲むように枠状に形成されている。シール部５２は、両基板を貼り合わせるための、例えば、エポキシ樹脂等のシール材で構成されており、熱硬化性、若しくは光及び熱の両方によって硬化可能なシール材で構成されている。シール部５２中には、ＴＦＴアレイ基板１０と対向基板２０との間隔（基板間ギャップ）を所定値とするためのグラスファイバ或いはガラスビーズ等のギャップ材が散布されていてもよい。
【００３２】
シール部５２が配置されたシール領域の内側に並行して、画像表示領域１０ａの額縁領域を規定する遮光性の額縁遮光膜５３が、対向基板２０側に設けられている。但し、このような額縁遮光膜５３の一部又は全部は、対向基板２０上において、電極より上層側に配置されて形成されてもよいし、ＴＦＴアレイ基板１０側に内蔵遮光膜として形成されてもよい。
【００３３】
複数の端子１０２は、ＴＦＴアレイ基板１０の基板面を規定する４辺のうち１辺に沿って延び、且つ画像表示領域１０ａの外側に延びる領域においてシール部５２に重ならないように形成されており、画像表示領域１０ａを構成する画素部と、ＦＰＣ（Flexible Printed Circuit）、或いは該ＦＰＣに搭載されたＩＣ等の外部回路とを相互に電気的に接続する。
【００３４】
液晶パネル１００は、画像表示領域１０ａの周辺に位置する領域のうち、シール部５２が配置されたシール領域の外側に位置する領域に形成され、且つ画像信号を画素部に供給するデータ線駆動回路１０１と、シール部５２の内側の領域に形成され、且つ各画素部の動作をスイッチング制御する走査信号を供給する走査線駆動回路１０４とを備えている。但し、データ線駆動回路１０１が、シール部５２が配置されたシール領域の内側に位置する領域に形成されてもよく、データ線駆動回路１０１の一部が、シール部５２が配置されたシール領域に形成されてもよい。さらに、走査線駆動回路１０４についても同様にシール領域の外側に位置する領域に形成されてもよく、一部がシール領域に形成されてもよい。
【００３５】
ＴＦＴアレイ基板１０上には、対向基板２０の４つのコーナー部に対向する領域に、両基板間を上下導通材１０７で接続するための上下導通端子１０６が配置されている。これらにより、ＴＦＴアレイ基板１０と対向基板２０との間で電気的な導通をとることができる。
【００３６】
図２において、ＴＦＴアレイ基板１０上には、画素スイッチング用のＴＦＴ（Thin Film Transistor）や走査線、データ線等の配線が形成された後の画素電極９ａ上に、配向膜１６が形成されている。他方、詳細な構成については省略するが、液晶パネル１００において、対向基板２０に形成された共通電極２１が、画素電極９ａと対向するように配置されており、その上（図中下側）に配向膜２２が形成されている。尚、ＴＦＴアレイ基板１０及び対向基板２０としては、ガラス基板、石英、プラスチック基板、或いはシリコン基板等の各種基板を使用可能である。尚、画像表示領域１０ａを構成し、且つマトリクス状に配列された複数の画素部の夫々において光が透過する領域は、画像表示領域１０ａに格子状に形成された、所謂ブラックマトリクスと称される遮光膜２３によって規定されている。
【００３７】
次に、図３を参照しながら、液晶パネル１００の画像表示領域１０ａにおける回路構成を説明する。
【００３８】
図３において、液晶パネル１００の画像表示領域１０ａを構成するマトリクス状に形成された複数の画素部７２の夫々は、画素電極９ａ、ＴＦＴ３０、及び液晶素子５０ａを備えている。ＴＦＴ３０は、画素電極９ａに電気的に接続されており、液晶パネル１の動作時に画素電極９ａをスイッチング制御し、当該制御に応じて液晶素子５０ａを駆動する。画像信号が供給されるデータ線６ａは、ＴＦＴ３０のソースに電気的に接続されている。データ線６ａに書き込む画像信号Ｓ１、Ｓ２、・・・、Ｓｎは、この順に線順次に供給しても構わないし、相隣接する複数のデータ線６ａ同士に対して、グループ毎に供給するようにしてもよい。
【００３９】
ＴＦＴ３０のゲートに走査線３ａが電気的に接続されており、液晶パネル１は、所定のタイミングで、走査線３ａにパルス的に走査信号Ｇ１、Ｇ２、・・・、Ｇｍを、この順に線順次で印加するように構成されている。画素電極９ａは、ＴＦＴ３０のドレインに電気的に接続されており、スイッチング素子であるＴＦＴ３０を一定期間だけそのスイッチを閉じることにより、データ線６ａから供給される画像信号Ｓ１、Ｓ２、・・・、Ｓｎが所定のタイミングで書き込まれる。画素電極９ａを介して液晶に書き込まれた所定レベルの画像信号Ｓ１、Ｓ２、・・・、Ｓｎは、対向基板２０に形成された共通電極２１との間で一定期間保持される。
【００４０】
液晶層５０に含まれる液晶は、印加される電圧レベルにより分子集合の配向や秩序が変化することにより、光を変調し、階調表示を可能とする。
【００４１】
（２）液晶装置
次に、本実施形態に係る液晶装置１全体の構成及び動作について図４を参照して説明する。ここに、図４は、液晶装置１の全体構成を示す側面図である。尚、図４における液晶パネル１００では、説明の便宜上、図１及び図２に図示したような詳細な部材を適宜省略して図示してある。
【００４２】
図４に示すように、本実施形態に係る液晶装置１は、ＥＣＢ（Electrically Controlled Birefringence：電界制御複屈折）方式の反射型液晶装置であり、ＴＦＴアレイ基板１０、対向基板２０、液晶層５０及び反射層８０からなる液晶パネル１００と、光拡散フィルム２００と、位相差板３００と、偏光板４００とを備えて構成されている。
【００４３】
本実施形態に係る液晶装置１の動作時には、入射光は、先ず偏光板４００及び位相差板３００を透過した後に、光拡散フィルム２００に入射する。ここで、光拡散フィルム２００は、液晶層５０とは反対側の面から入射してくる入射光をそのまま透過させる性質を有している。従って、偏光板４００及び位相差板３００を透過した光は、光拡散フィルム２００をそのまま透過して液晶パネル１００内に入射する。その後、液晶パネル１００内に入射した入射光は、液晶層５０によって位相差が付与された後又は付与されることなく反射層８０によって反射される。
【００４４】
ここで、本実施形態においては、反射層８０は、その液晶層５０側の表面の概ね全面に渡って凹凸部８１を備えている。このため、液晶層５０を透過してきた光は、凹凸部８１によって乱反射される。つまり、液晶層５０を透過してきた光は、様々な方向に向かって反射される。
【００４５】
その後、反射層８０により反射された（つまり、反射層８０が備える凹凸部８１により乱反射された）反射光は、再び液晶層５０を透過した後、光拡散フィルム２００に入射する。光拡散フィルム２００は、液晶層５０の側の面から入射してくる光を拡散する性質を有している。このような光拡散フィルム２００として、例えば住友化学工業株式会社製の光制御フィルム（商品名：ルミスティ）を用いることができる。従って、反射層８０において反射された後に液晶層５０を透過した反射光は、光拡散フィルム２００において様々な方向に向かって拡散しながら光拡散フィルム２００を透過する。その後、光拡散フィルム２００を透過した反射光は、位相差板３００を透過し、偏光状態に応じて偏光板４００を透過する又は偏光板４００において遮断される。その結果、画像表示が行われる。
【００４６】
このように、本実施形態に係る液晶装置１によれば、光拡散フィルム２００を設けることに加えて、反射層８０が凹凸部８１を備えている。このため、液晶装置１内に入射した光は、凹凸部８１及び光拡散フィルム２００の双方において拡散される。従って、液晶装置１の広視野角を実現することができる。
【００４７】
加えて、光拡散フィルム２００を設けることに加えて、反射層８０が凹凸部８１を備えているため、液晶装置１全体としての設計の自由度を相対的に高めることができると共に、所望の反射特性を好適に得ることができる。具体的には、光拡散フィルム２００によって得られる光拡散性が所望の反射特性に対して不足している又は過剰である場合には、光拡散フィルム２００そのものの特性（例えば、光拡散フィルム２００に用いられる光学材料や、光拡散フィルム２００の形状や、光拡散フィルム２００のサイズや、光拡散フィルム２００を構成する光学材料の積層構造ないしは形成態様等）を変更することに加えて又は代えて、凹凸部８１の特性（例えば、凹凸部の形状やサイズ等）を変更することができる。つまり、光拡散フィルム２００によって得られる光拡散性が所望の反射特性に対して不足している又は過剰である場合には、不足している又は過剰となっている反射特性を凹凸部８１によって補うことができる。同様に、凹凸部８１によって得られる光拡散性（つまり、乱反射特性）が所望の反射特性に対して不足している又は過剰である場合には、凹凸部８１の特性を変更することに加えて又は代えて、光拡散フィルム２００そのものの特性を変更することができる。つまり、凹凸部８１によって得られる光拡散性が所望の反射特性に対して不足している又は過剰である場合には、不足している又は過剰となっている反射特性を光拡散フィルム２００によって補うことができる。
【００４８】
他方で、光拡散フィルム２００が設けられる一方で反射層８０が凹凸部８１を備えない液晶装置では、光拡散フィルム２００によって得られる光拡散性が所望の反射特性に対して不足している又は過剰である場合には、所望の反射特性を得るために、光拡散フィルム２００そのものの特性を変更する必要がある。しかしながら、光拡散フィルム２００の特性選択性（或いは、材料選択性）の制約の観点から見れば、必ずしも所望の反射特性を得られる光拡散フィルム２００が存在するとは限らない。同様に、反射層８０が凹凸部８１を備える一方で光拡散フィルム２００が設けられない液晶装置では、凹凸部８１によって得られる光拡散性が所望の反射特性に対して不足している又は過剰である場合には、所望の反射特性を得るために、凹凸部８１の特性を変更する必要がある。しかしながら、反射層が備える凹凸部８１の設計の制約の観点から見れば、必ずしも所望の反射特性を得られる凹凸部８１が得られるとは限らない。このため、必ずしも所望の反射特性を得られる液晶装置を実現できるとは限らない。
【００４９】
しかるに、本実施形態に係る液晶装置１によれば、光拡散フィルム２００を設けることに加えて、反射層８０が凹凸部８１を備えているため、光拡散フィルム２００が設けられる一方で反射層８０が凹凸部８１を備えない液晶装置や反射層８０が凹凸部８１を備える一方で光拡散フィルム２００が設けられない液晶装置における技術的な問題点が生ずる可能性は相対的には低くなる。従って、液晶装置１全体としての設計の自由度を相対的に高めることができると共に、所望の反射特性を好適に得ることができる。
【００５０】
尚、上述の説明では、液晶装置１がＥＣＢ方式の反射型液晶装置である場合の例について説明をしている。しかしながら、液晶装置１がＥＣＢ方式の反射型液晶装置に限定されることはない。例えば、液晶装置１がＶＡ（垂直配向）方式の反射型液晶装置であってもよい。この場合であっても、上述した各種効果を享受することができると共に、より一層の広視野角化を図ることができる。
【００５１】
また、ＥＣＢ方式やＶＡ方式以外の液晶装置（例えば、ＴＮ（ツイストネマティック）方式の液晶装置や、横電界方式の液晶装置（例えば、ＦＦＳ方式やＩＰＳ方式の液晶装置））であっても、上述した各種効果を享受することができる。
【００５２】
また、上述の説明では、液晶装置１が反射型液晶装置である場合の例について説明をしている。しかしながら、反射型の液晶装置に限らず、半透過反射型の液晶装置における反射表示領域に対して上述した構成を適用してもよい。この場合であっても、上述した各種効果を享受することができる。
【００５３】
（３）変形例
続いて、図５を参照して、本実施形態に係る液晶装置の変形例について説明する。ここに、図５は、変形例に係る液晶装置１ａの全体構成を示す側面図である。尚、図５を参照した以下の説明では、上述した液晶装置１と同一の構成については、同一の参照符号を付することでその詳細な説明については省略する。
【００５４】
図６に示すように、変形例に係る液晶装置１ａは、本実施形態に係る液晶装置１と同様に、ＴＦＴアレイ基板１０、対向基板２０、液晶層５０及び反射層８０ａからなる液晶パネル１００と、光拡散フィルム２００と、位相差板３００と、偏光板４００とを備えて構成されている。
【００５５】
変形例に係る液晶装置１ａでは特に、反射層８０ａは、その液晶層５０側の表面の一部の領域に凹凸部８１を備えている。このとき、反射層８０ａは、一つの凹凸部８１を備えていてもよいし、或いは複数の凹凸部８１を備えていてもよい。反射層８０ａが複数の凹凸部８１を備える場合には、複数の凹凸部８１は、反射層８０ａ上において均等に配列するように配置されていてもよいし、反射層８０ａ上において離散的に配列するように配置されていてもよいし、反射層８０ａ上において分散するように配列するように配置されていてもよいし、或いは、反射層８０ａ上において非規則的に（又は、不均一的に）配列するように配置されていてもよい。いずれにせよ、複数の凹凸部８１は、液晶装置１に求められている所望の反射特性を実現可能な態様で配置される。
【００５６】
このような変形例に係る液晶装置１ａであっても、光拡散フィルム２００を設けることに加えて、反射層８０ａが凹凸部８１を備えているため、上述した各種効果を享受することができる。更に、凹凸部８１の数や凹凸部８１が設けられる位置や凹凸部８１の分布の態様に応じて光拡散性を偏光させることができることを考慮すれば、液晶装置１全体としての設計の自由度をより一層高めることができると共に、所望の反射特性をより好適に得ることができる。
【００５７】
（４）電子機器
続いて、図６及び図７を参照しながら、上述の液晶装置１を具備してなる電子機器の例を説明する。
【００５８】
図６は、上述した液晶装置１が適用されたモバイル型のパーソナルコンピュータの斜視図である。図６において、コンピュータ１２００は、キーボード１２０２を備えた本体部１２０４と、上述した液晶装置１を含んでなる液晶表示ユニット１２０６とから構成されている。
【００５９】
次に、上述した液晶装置１を携帯電話に適用した例について説明する。図７は、電子機器の一例である携帯電話の斜視図である。図７において、携帯電話１３００は、複数の操作ボタン１３０２とともに、反射型の表示形式を採用し、且つ上述した液晶装置１と同様の構成を有する液晶装置１００５を備えている。
【００６０】
これらの電子機器においても、上述した液晶表示装置１を含んでいるため、上述した各種効果を好適に享受することができる。
【００６１】
尚、図６及び図７を参照して説明した電子機器の他にも、液晶テレビ、ビューファインダ型又はモニタ直視型のビデオテープレコーダ、カーナビゲーション装置、ページャ、電子手帳、電卓、ワードプロセッサ、ワークステーション、テレビ電話、ＰＯＳ端末、タッチパネルを備えた装置等が挙げられる。そして、これらの各種電子機器に適用可能なのは言うまでもない。
【００６２】
本発明は、上述した実施例に限られるものではなく、請求の範囲及び明細書全体から読み取れる発明の要旨或いは思想に反しない範囲で適宜変更可能であり、そのような変更を伴なう液晶装置及び電子機器もまた本発明の技術的範囲に含まれるものである。
【符号の説明】
【００６３】
１…液晶装置、１０…ＴＦＴアレイ基板、２０…対向基板、８０…反射層、８１…凹凸部、２００…光拡散フィルム
【図１】
2011002564.tif 000003
【図２】
2011002564.tif 000004
【図３】
2011002564.tif 000005
【図４】
2011002564.tif 000006
【図５】
2011002564.tif 000007
【図６】
2011002564.tif 000008
【図７】
2011002564.tif 000009